【事件の表示】
　特許第２７７４６３７号「カメラ」の請求項１、４に係る特許に対する特許異議の申立てについて、次のとおり決定する。
【結論】
　訂正を認める。
　特許第２７７４６３７号の請求項１、４に係る特許を維持する。
【理由】
（１）手続きの経緯
　　本件特許第２７７４６３７号発明は、平成２年２月７日の出願であって、平成１０年４月２４日にその発明の特許がなされ、その後、オリンパス光学工業　株式会社より特許異議の申立てがなされ、取消理由通知がなされ、その指定期間内である平成１１年５月１４日に訂正請求がなされたものである。
（２）訂正の適否についての判断
▲１▼特許請求の範囲の訂正
ア．訂正明細書の請求項１に係る発明
　訂正明細書の請求項１に係る発明は、その特許請求の範囲の請求項１に特定された次のとおりのものである。
「（１）複数の選択可能な撮影モードと、モード選択スイッチの操作により前記撮影モードを選択する設定手段と、複数の７セグメント表示により数字表示を行う表示手段をもつカメラにおいて、前記複数の７セグメント表示の各セグメントの組合わせによって、他の撮影モードに切換ったことを表示した表示制御手段を設けたことを特徴とするカメラ。」
イ．訂正明細書の請求項２に係る発明
　訂正明細書の請求項２に係る発明は、その特許請求の範囲の請求項２に特定された次のとおりのものである。
「（２）複数の焦点検出点を選択可能な焦点検出手段をもち、前記表示手段は少なくとも前記焦点検出点の数だけの７セグメント表示をもち、前記焦点検出点の選択時に前記７セグメント表示の各セグメントの組合せによって選択点と非選択点を表わす事によって、焦点検出点選択モードを表示する事を特徴とする請求項（１）記載のカメラ。」
▲２▼発明の詳細な説明の訂正
ア．明細書第４頁第５〜６行（特許掲載公報第３欄第２６行）の「前記撮影モードを選択する」を「モード選択スイツチの操作により前記撮影モードを選択する」と訂正する。
イ．明細書第２５頁第４行（特許掲載公報第１０欄第２３行）の「撮影モードを選択する際に、」を「モード選択スイツチの操作により撮影モードを選択する際に、」と訂正する。
▲３▼訂正の目的の適否及び拡張・変更の存否等
　上記訂正▲１▼は、特許請求の範囲の減縮ないし誤記の訂正に該当し、願書に添付した明細書又は図面に記載された事項の範囲内のものであり、実質的に特許請求の範囲を拡張又は変更するものではなく、新規事項の追加もない。また、上記訂正▲２▼は、発明の詳細な説明の欄中の明瞭でない記載の釈明（特許請求の範囲の訂正に付随する訂正である。）を目的とするものであり、願書に添付した明細書又は図面に記載された事項の範囲内のものであり、新規事項の追加もない。
▲４▼独立特許要件の判断
（引用刊行物に記載された発明）
訂正前明細書の請求項１及び４に係る発明に対して、当審が通知した取消理由で引用した特開昭６０−２４７６３２号公報（以下、「引用例」という。）には、「この時点でシャツターボタンの第２ストロークが押し込まれ、スイツチ１９がオンとなるのと同時にフイルム露光動作が行われる。スイツチ１９がオンになり、‥‥‥、単安定マルチ５の出力はデータ写し込みに必要な一定時間Ｈレベルになり、‥‥‥、データ写し込み用ランプ２は発光する。単安定マルチ５の出力端子５−１がＨレベルである一定時間でフイルム面上にデータが写し込まれる。‥‥‥したがってノアゲート２６の出力がＨレベルに反転することにより写し込み確認用ＬＥＤ２７が点灯する。‥‥‥、ノアゲート２６の出力はＨレベルからＬレベルに反転し写し込み確認用ＬＥＤ２７は点灯から消灯に切り換わり、撮影者はフアインダから目をはなさずにデータ写し込みが完了したことを確認できる。」（第３頁左上欄第１３行乃至右下欄第１８行）、「一方写し込みを行わない場合すなわちデータバック装置Ａがカメラに装着されている（「されない」の誤記と認められる。）場合もしくはデータバック装置Ａがカメラに装着されていてもスイツチ３４がオンしている場合はレリーズスイツチ１９がオンされ、‥‥‥、ｂの電位はＨレベルになりノアゲート２６の出力はＬレベルでありＬＥＤ２７は点灯しない。したがってデータの写し込みが行われたときだけＬＥＤ２７は点灯することになり、点灯の終了でデータの写し込みの確認ができる。第１図に示した実施例においては写し込み確認用ＬＥＤを設けたが、写し込み確認用ＬＥＤを設けずに他の表示素子と兼用する実施例を第２図、第３図を用いて説明する。第２図（ａ）〜（ｄ）はＬＥＤもしくはＬＣＤで構成された７セグメント６桁の表示装置（左、右からそれぞれ３桁目の間には横のラインが示してある）の正面図で、第２図（ａ）は表示部材の表示セルがすべて点灯した状態を示した図、第２図（ｂ）は露出情報を表示している状態を示した図で第２図（ｂ）では絞り値Ｆ５．６シャッタスピード１／１０００秒を示している。第２図（ｃ）、第２図（ｄ）はデート写し込み中であることを示す図であり、第２図（ｃ）に示す例では”ｄａｔｅ”と表示することにより第２図（ｄ）に示す例では”……”と表示することによりデータ写し込み中であることを示している。」（第４頁右上欄第１０行乃至左下欄第１９行）、及び「データ写し込みが行われない場合には前述した様にノアゲート２６の出力はＬレベルのままであり、デコーダ２９’は露出制御回路２８’の出力する信号をデコードして表示部材３０’を駆動する。レリーズが行われて写し込み動作が行われると前述した様にノアゲート２６の出力はある期間Ｈレベルになるためその間表示部材３０’は第２図（ｃ）もしくは（ｄ）のような露出情報とは異なる表示を行う。」（第４頁右下欄第１９行乃至第５頁左上欄第７行）との記載があり、結局、写し込みを行う場合と写し込みを行わない場合とを、写し込み禁止スイッチ３４の操作により選択し、写し込みを行う場合には、レリーズスイッチ１９がオンされて写し込みが行われると、ノアゲート２６の出力がある期間Ｈレベルになり、その間表示部材３０’が、絞り値Ｆ５．６シャッタスピード１／１０００秒等の露出情報とは異なる”ｄａｔｅ”や”……”等の表示を複数の７セグメントによって行うカメラのデータ写し込み確認装置、が記載されている。
（請求項１に係る発明についての対比・判断）
本件請求項１に係る発明と引用例に記載の発明とを対比すると、本件請求項１に係る発明の「複数の選択可能な撮影モード」、「モード選択スイッチ」、「表示手段」は、それぞれ引用例記載の発明の「写し込みを行う場合と写し込みを行わない場合」、「写し込み禁止スイッチ３４」、「表示部材３０’」に相当するから、両者は、複数の選択可能な撮影モードと、モード選択スイッチの操作により前記撮影モードを選択する設定手段と、複数の７セグメント表示により数字表示を行う表示手段をもつカメラで一致し、
Ａ本件請求項１に係る発明は、複数の７セグメント表示の各セグメントの組合わせによって、他の撮影モードに切換わったことを表示した表示制御手段を設けたのに対して、引用例に記載の発明は、レリーズスイッチ１９がオンされて写し込みが行われると、ノアゲート２６の出力がある期間Ｈレベルになり、その間表示部材３０’が、絞り値Ｆ５．６、シャッタスピード１／１０００秒等の露出情報とは異なる”ｄａｔｅ”や”……”等の表示を複数の７セグメントによって行う点で相違する。
　そこで、相違点Ａについて、検討すると、引用例に記載の発明では、写し込み禁止スイッチ３４を写し込みを行う場合に切換えただけでは、表示部材３０’は露出情報を表示しているだけで、他の撮影モードに切換わったことを表示しない。　　
　単に、レリーズスイッチ１９がオンされて、ある期間、露出情報と異なる表示をするものであるから、引用例に記載の発明は、本件請求項１に係る発明の構成の一部である相違点Ａを有しない。
　そして、相違点Ａの構成を有することによって、明細書記載の作用効果を奏するものであるから、本件請求項１に係る発明が、上記引用例に記載された発明であるとも、上記引用例に基づいて当業者が容易に推考できたものとも言えない。
　したがって、本件請求項１に係る発明は特許出願の際独立して特許を受けることができない発明とすることはできない。
（請求項４に係る発明についての対比・判断）
　請求項４に係る発明は、本件請求項１に係る発明の構成の一部をさらに限定したものであるから本件請求項１に係る発明と同様の判断となる。
　したがって、本件請求項４に係る発明は特許出願の際独立して特許を受けることができない発明とすることはできない。
▲５▼むすび
　以上のとおりであるから、上記訂正請求は、特許法等の一部を改正する法律（平成６年法律第１１６号）附則第６条第１項の規定によりなお従前の例によるとされる、特許法第１２０条の４第２項及び第３項で準用する第１２６条第２−４項の規定に適合するので、当該訂正を認める。
（３）特許異議の申立てについての判断
ア．申立ての理由の概要
　　申立人オリンパス光学工業　株式会社は、証拠として甲第１号証（特開昭６０−２４７６３２号公報）を提出し、訂正前の請求項１及び４に係る発明は、特許法第２９条第１項第３号の規定に違反してなされたものであるから、特許を取り消すべき旨主張し、また、訂正前の請求項１及び４に係る発明は、特許法第２９条第２項の規定に違反してなされたものであるから、特許を取り消すべき旨主張している。
イ．判断
〔本件請求項１及び４に係る発明〕
　本件請求項１及び４に係る発明は、上記（２）▲４▼で述べた通りである。
ウ．むすび
　以上のとおりであるから、特許異議申立の理由及び証拠によっては、本件請求項１及び４に係る発明の特許を取り消すことはできない。
　また、他に本件請求項１及び４に係る発明の特許を取り消すべき理由を発見しない。
　よって、結論のとおり決定する。
【異議決定日】
平成１１年７月１２日（１９９９．７．１２）
【訂正の要旨】
　　訂正の要旨
特許請求の範囲の減縮ないし誤記の訂正を目的として、下記（１）、（２）のように特許請求の範囲を訂正する。また、特許請求の範囲の訂正に応じて、発明の詳細な説明についても、適合性を持たせるために下記（３）、（４）のように訂正する。
（１）特許請求の範囲の請求項１を次のとおり訂正する。
「（１）複数の選択可能な撮影モードと、モード選択スイッチの操作により前記撮影モードを選択する設定手段と、複数の７セグメント表示により数字表示を行う表示手段をもつカメラにおいて、前記複数の７セグメント表示の各セグメントの組合わせによって、他の撮影モードに切換ったことを表示した表示制御手段を設けたことを特徴とするカメラ。」
（２）特許請求の範囲の請求項２を次のとおり訂正する。
「（２）複数の焦点検出点を選択可能な焦点検出手段をもち、前記表示手段は少なくとも前記焦点検出点の数だけの７セグメント表示をもち、前記焦点検出点の選択時に前記７セグメント表示の各セグメントの組合わせによって選択点と非選択点を表わす事によって、焦点検出点選択モードを表示する事を特徴とする請求項（１）記載のカメラ。」
（３）明細書第４頁第５〜６行（特許掲載公報第３欄第２６行）の「前記撮影モードを選択する」を「モード選択スイツチの操作により前記撮影モードを選択する」と訂正する。
（４）明細書第２５頁第４行（特許掲載公報第１０欄第２３行）の「撮影モードを選択する際に、」を「モード選択スイツチの操作により撮影モードを選択する際に、」と訂正する。
（５４）【発明の名称】
カメラ
（５７）【特許請求の範囲】
（１）複数の選択可能な撮影モードと、
モード選択スイッチの操作により
（２）複数の焦点検出点を選択可能な焦点検出手段をもち、前記表示手段は少なくとも前記焦点検出点
の
（３）被写体輝度を測光する複数種の測光を行う測光手段をもち、前記表示手段は少なくとも前記測光の数だけ７セグメント表示をもち、前記測光手段における測光の選択時に、前記７セグメント表示の各セグメントの組合せによって測光モードを表示する事を特徴とする請求項（１）記載のカメラ。
（４）前記７セグメントはシャツター秒時、絞り値又はフイルム枚数のカウント表示を行う事を特徴とする請求項（１），（２）又は（３）記載のカメラ。
【発明の詳細な説明】
〔産業上の利用分野〕
　本発明は選択可能な複数の撮影モードをもつカメラに関するものである。
〔従来の技術〕
　最近のカメラにおいては電子技術の進歩にともない高度に電子化され、様々な機能をもたせる事が可能となっている。自動露出機能、モータードライブの内蔵、焦点調節の自動化（ＡＦ化）等、多種多様な機能が一台のカメラの中に盛り込まれている。このような多機能なカメラの操作入力方法として、現在ではダイヤルやスライド・スイツチのような機械式な入力方法の代わりに、液晶表示装置（ＬＣＤ）と押し釦スイツチ等による設定入力部材を設けて機能内容をすべてＬＣＤに表示させ、設定部材によって機能の１部を選択するという手段が一般的に行われるようになってきた。この方式は１つの操作スイツチで複数の機能の入力を行うことができる為、様々な機能の割に設定入力スイツチを少なくすることができた。しかしながら、一方ＬＣＤはすべての機能内容を表示させることが必要である為、大型化が必須であるが、カメラのような小型精密機械においてはこれにも限度があり、又、１つ１つの表示内容を小さくすれば多くの機能を表示できるが、非常に見づらいものとなってしまう弊害が生じた。
　〔発明が解決しようとしている課題〕
　この対策としてドツトマトリクス表示方式のＬＣＤを用いて必要な表示だけ画面一杯に表示するという方法が考えられるが、実装規模が大きくなり、やはりカメラ形状の大型化とともに大幅なコストＵＰとなってしまっていた。
　〔課題を解決するための手段〕
　本発明は前記問題点に鑑みなされたもので、複数の選択可能な撮影モードと
モード選択スイッチの操作により
　〔実施例〕
　以下、実施例をもとに本発明を説明する。
　第１図、第２図は本発明の表示装置を備えたオートフオーカス（以下ＡＦという）一眼レフカメラの上面図、中央断面図を示したものである。１はカメラ本体、２は外部モニター表示装置としてのＬＣＤ（ＤＩＳＰ１）であらかじめ決められたパターンを表示する固定セグメント２ａと、可変数値表示用の７セグメント２ｂからなっている。３は複数のＡＦの焦点検出点の選択を行う為に、押す事によって焦点検出点選択状態にはいる設定部材としての焦点検出点モード選択釦、４は複数の測光範囲の選択を行う為に、押す事によって測光範囲選択状態にはいる設定部材としての測光モード選択釦、５は回転してクリツクパルスを発生させる事によって、シヤツター秒時、絞り値等の設定値の変更や焦点検出点モード、測光モードといった撮影モードを変更するダイヤル（ＤＬ）、６はレリーズ釦である。
　第２図において、１１は撮影レンズ、１２はハーフミラーでできた主ミラー、１３はＡＦ光学系に光を導くサブミラーで１３ａ，１３ｂ，１３ｃの３つを配置している。１４はフイールドレンズ、１４は二次結像レンズ、１６はフイルム面１７と等価な位置におかれて、被写体の右、中央、左の像情報を取り込む撮影レンズ１１の焦点を検出する焦点検出手段としてのラインセンサーで、ＣＣＤ−Ｌ，ＣＣＤ−Ｃ，ＣＣＤ−Ｒの３組の公知のＣＣＤラインセンサーよりなっている。１８はシヤツター、１９はペンタプリズム、２０はピント板、２１は明るい被写体の中でも視認できるよう超高輝度ＬＥＤで、発光された光は投光用プリズム２２、主ミラー１２で反射しピント板２０の表示部に設けた微小プリズムアレイ２０ａで、垂直方向に曲げられペンタプリズム１９、接眼レンズ２０を通って撮影者の目に到達する。そこで、ピント板２０上にＣＣＤ−Ｌ，ＣＣＤ−Ｃ，ＣＣＤ−Ｒの焦点検出点に対応する位置にこの微小プリズムアレイ２０ａを枠状に形成し、これを各々に対応し３つのＬＥＤ２１（各々をＬＥＤ−Ｌ，ＬＥＤ−Ｃ，ＬＥＤ−Ｒとする）によって証明する。これによって第３図に示したフアインダー視野図から判るように、焦点検出枠４１ａ，４１ｂ，４１ｃがフアインダー視野内で光、焦点検出点を表示させることができるものである（以下これをスーパーインポーズ表示という）。
　２３はフアインダー内表示用のＬＣＤ（ＤＩＳＰ２）で、照明用ＬＥＤ２４（ＦＬＥＤ）によって照明され、ＬＣＤ２３を透過した光が三角プリズム２５によってフアインダー内に導かれ、第３図の４２で示したようにフアインダーの画面外に表示され、撮影者は撮影情報を知ることができるものである。
　又、ＬＣＤ（ＤＩＳＰ２）２３はＬＣＤ（ＤＩＳＰ１）２と同様に複数の７セグメントを備え、ＬＣＤ（ＤＩＳＰ１）２の７セグメント表示内容と同一の内容が表示可能となっている。
　２６はフアインダー画面を形成する視野枠、２７は測光用の集光レンズ、２８は複写界の中央部の輝度とその周辺の輝度を各々測定する事のできる、２分割のフオトダイオードからなる測光センサー（各々をＳＰＣ−Ｃ，ＳＰＣ−Ｓとする）である。
　第４図は第１図のカメラに内蔵されている電気回路を示している。第４図においてＣＯＭはカメラの制御を司るマイクロコンピユータ、ＰＳ１，ＰＳ２，ＰＦＰ，ＰＡＥは入カポート、ＰＤＬは８ビツト入カポート、ＰＡＶ，ＰＲ，ＰＣ，ＰＬは出力ポート、ＰＤＰは８ビツト出力ポート、ＰＡＦは８ビツト入出力ポートである。ＡＤ−ＡＦは前記ＣＣＤ−Ｒ，ＣＣＤ−Ｃ，ＣＣＤ−Ｌから得た電圧をＡ／Ｄ変換する自動焦点装置、ＡＤ−ＡＥは測光センサー２８（ＳＰＣ−Ｃ，ＳＰＣ−Ｓ）より得た電圧を対数圧縮・Ａ／Ｄ変換する測光装置、ＤＤ１はＬＣＤ表示をおこなう公知の表示回路で、前記出力ポートＰＤＰに現れた信号に従い、絞り値・シャツタ秒時や設定した撮影モード等の表示を行うことができる。ＤＩＳＰ１と２は前出の外部モニター用ＬＣＤとフアインダー内表示ＬＣＤ２３で表示回路ＤＤ１によって両者を同時に表示させることができる。ＴＲ−Ｒ，ＴＲ−Ｃ，ＴＲ−Ｌ，ＴＲ−ＦＬＥＤ，ＴＲ−Ｍ１，ＴＲ−Ｍ２，ＴＲ−ＭＧ１，ＴＲ−ＭＧ２はトランジスタ、Ｍ１はフイルムの巻上げ、巻戻しをおこなうモータ、Ｍ２は前記ミラーＭＲのアツプダウン、シヤツタチヤージをおこなうモータ、ＭＧ１は通電でシヤツタ先幕を走行させるマグネツト、ＭＧ２は通電でシヤツタ後幕を走行させるマグネットである。ＤＬＣはダイヤルカウンタでダイヤル５ＤＬの回転クリツク数をカウントし前記ポートＰＤＬに出力する。ＤＡＶは絞りＣＡＶを制御する絞り駆動回路で前記ポートＰＡＶにより入力した絞り段数に応じて絞りを制御する。ＳＷ１はレリーズ釦６の第１ストロークでオンになる測光スイツチ、ＳＷ２はレリーズ釦６の第２ストロークでオンになる露光開始スイツチ、ＳＷ−ＦＰは焦点検出点モード選択釦４押す事によって焦点検出点の選択をおこなうための焦点検出点選択状態にはいる焦点検出点モード選択スイツチである。ＳＷ−ＭＰは測光モード選択釦５を押す事によって、測光範囲の選択を行う為の測光範囲選択状態にはいる測光モード選択スイツチである。
　第５図はＬＣＤ２（ＤＩＳＰ１）の７セグメント表示部分の構成を示したもので、５１〜５４はシヤツター秒時を表示するセグメント、ＳＥＧ１〜４，５５〜５６は絞り値の表示を行うセグメントＳＥＧ５，６を、５９は小数点を示すコロン、５７，５８はフイルム枚数をカウントするセグメントＳＥＧ７，８、６０はフイルムカウンター部を示すカウンター枠である。又、７セグメントを構成する各々のセグメントを図中表示のようにａ〜ｇセグメントとした。
　第６図にこの表示例としてシヤツタ秒時１／１０００秒、絞り値Ｆ５．６、フイルム枚数が２３枚の時の状態を示した。
　第７図は焦点検出モード選択釦を押した際の焦点検出点選択状態での７セグメント５１〜５８の表示状態を示したものである。
　第７図（ａ）は焦点検出点が３点とも機能し、カメラがあるアルゴリズムによって自動的に焦点検出点を選択する自動選択モードの表示を示したもので、ＳＥＧ２−５２，ＳＥＧ４−５４，ＳＥＧ５−５５の各々ｃ，ｄ，ｅ，ｇセグメントでロ字状に表示させて、左、中央、右のすべての焦点検出点が選択されていることを示したものである。
　第７図（ｂ）は左側の焦点検出点が選択された焦点検出点モードを示したもので、ＳＥＧ２−５２，ＳＥＧ４−５４のｄセグメントを表示して、右および中央の焦点検出点が非選択状態をＳＥＧ５−５５のｃ，ｄ，ｅ，ｇセグメントを表示して左の焦点検出点が選択状態を示している。
　以下、第７図（ｃ），（ｄ）も同様に中央の焦点検出点、右の焦点検出点が選択された焦点検出点モードを示したものである。
　次に第８図、第９図に系すフローチヤートに従って、カメラの動作を説明する。
　カメラに電源が投入されると、マイクロコンピユータＣＯＭ内のＲＡＭはすべてクリアされ、各入出力ポートは初期化されて、プログラムはＳＴＡＲＴから制御を開始する。
（１）前記スイツチＳＷ１の状態を判別する。入カポートＰＳ１がＬｏｗであればステツプ１１へ、Ｈｉであればステツプ２へ進む。
（２）スイツチＳＷ１がオンしていることを示すＳＷ１ＯＮＦフラグと合焦後にフアインダー内の合焦焦点検出枠（以降スパーインポーズ表示と呼ぶ）を点灯させたことを示すＳＰＩＦフラグをクリアしてステツプ３へ進む。
（３）前記スイツチＳＷ−ＦＰの状態を判別する、入カポートＰＦＰがＬｏｗであればステツプ４０へ、Ｈｉであればステツプ４へ進む。
（４）スイツチＳＷ−ＦＰがオンしていることを示すＳＷＦＰＦフラグをクリアしてステツプ５へ進む。
（５）ステツプ２７でスタートする測光タイマ中であるか否かを判断する。測光タイマ中であればステツプ１７へ、測光タイマー中でなければステツプ６へ進む。
（６）ステツプ４５でスタートするモードタイマ中であるか否かを判断する。モードタイマ中であればステツプ４４へ、モードタイマ中でなければステツプ７へ進む。
（７）前記出力ポートＰＤＰからＬＣＤ表示回路ＤＤ１にＯＦＦ信号を出力し、ＬＣＤ表示をＯＦＦにしてステツプ８に進む。
（８）出力ポートＰＲ，ＰＣ，ＰＬからＬｏｗを出力し、スーパーインポーズ表示をＯＦＦしてステツプ９に進む。
（９）前記ダイヤルカウンタＤＬＣを０にクリアしてステツプ１０に進む。
（１０）マイコンＣＯＭをソフトウエアスタンバイ状態にする。このソフトウエアスタンバイ状態においてはマイコン本体だけでなく、クロツクをはじめ内蔵周辺モジユールの機能が停止するため、消費電流は著しく低減されるが、規定の電圧が与えられている限り、マイコンＣＯＭ内のレジスタの内容及び内蔵ＲＡＭのデータは保持される。また、ソフトウエアスタンバイ状態の解除は、電源電圧の低下、スイツチＳＷ１の変化、スイツチＳＷ−ＦＰの変化によっておこなわれる。
　次に、スイツチＳＷ１が押されるとソフトウエアスタンバイ状態は解除され、ステツプ１からステツプ１１へ進む。
（１１）前記ダイヤルカウンタＤＬＣを０にクリアしてステツプ１２に進む。
（１２）前記モードタイマをストツプさせてステツプ１３へ進む。
（１３）スイツチＳＷ１が押されていることを示すＳＷ１ＯＮＦフラグがセツトされているか否かを判断する。セツトされていればステツプ１６へ、クリアされていればステツプ１４へ進む。
（１４）出力ポートＰＲ，ＰＣ，ＰＬからＬｏｗを出力し、スーパーインポーズ表示をＯＦＦしてステツプ１５に進む。
（１５）前記ＳＷ１ＯＮＦフラグをセツトしてステツプ１６へ進む。
（１６）設定された焦点検出点について、公知の焦点検出動作をおこなう。焦点検出点の情報は、ＦＰＲＡＭとＲＡＭに記憶してあり、ＲＡＭの内容の０、１，２，３に対応してそれぞれ焦点検出点が自動選択，左，中央，右となる。従って、ＦＰＲＡＭが０のときはあるアルゴリズムに従って焦点検出点を選択して焦点検出動作をおこない、１のときは左、２のときは中央、３のときは右の焦点検出点について公知の焦点検出動作をして、不図示のレンズ駆動モータによるレンズ駆動後ステツプ１７へ進む。
（１７）スーパーインポーズ点灯中は前記測光センサＳＰＣにスーパーインポーズ光が入力されるために正確な測光をすることができないので、スーパーインポーズが消灯するのを待ってステツプ１８へ進む。
（１８）測光センサＳＰＣから測光装置ＡＤ−ＡＥに入力された情報を対数圧縮、Ａ／Ｄ変換して公知の測光動作後、ステツプ１９へ進む。
（１９）は測光値からプログラム線図に基づいたシヤツタ秒時、絞り値を求めてステツプ２０へ進む。
（２０）前記スイツチＳＷ２の状態を判別する。入力ポートＰＳ２がＬｏｗであれセツトされているか否かを判断する。セツトされていればステツプ２５へ、クリアされていればステツプ２３へ進む。
（２１）前記焦点検出動作により合焦しているか否かを判断する。合焦していなければステツプ２５へ、合焦していればステツプ２２へ進む。
（２２）合焦後スーパーインポーズを点灯させたことを示すＳＰＩＦフラグがセツトされているか否かを判断する。セツトされていればステツプ２５へ、クリアされていればステツプ２３へ進む。
（２３）前記ＳＰＩＦフラグをセツトしてステツプ２４へ進む。
（２４）合焦した焦点検出点に対応するスーパーインポーズを点灯する。例えば中央の焦点検出点が合焦しているとすると、前記ポートＰＣの出力をＨｉにして中央のスーパーインポーズを点灯させる。このときマイコンのプログラムデユーティ制御により、測光値に応じて輝度変調をかける。またスーパーインポーズは７０ｍｓｅｃ後に発生する割込み処理によって、消灯する。
（２５）ステツプ１９で求められたシヤツタ秒時と絞り値をＬＣＤ表示回路ＤＤ１による公知の動作により、第６図に示すように、ＬＣＤ　ＤＩＳＰ１上に、例えば１／１０００，Ｆ５．６と表示する。同様に結線されたＤＩＳＰ２も１／１０００，Ｆ５．６と表示され、ポートＰＦをＨｉにしてＦＬＥＤを点灯させることによってフアインダー内にも第３図のように表され、ステツプ２６へ進む。
（２６）前記スイツチＳＷ１の状態を判別する。入カポートＰＳ１がＨｉであればＳＴＡＲＴへ、Ｌｏｗであればステツプ２７へ進む。
（２７）６秒の測光タイマをスタートさせる。このタイマは６秒後に発生する割り込み処理によってストツプする。
　このように、スイツチＳＷ１をオンしている間はステツプ１→１１→１２→１３→１６→１７→１８→１９→２０→２１→２５→２６→２７→１と進み、焦点検出動作と測光表示を繰り返して行う。またスイツチＳＷ１をオフしているときでも、測光タイマ中はステツプ１→２→３→４→５→１７→１８→１９→２０→２１→２５→２６→１と進み、測光を繰り返しておこなう。
　次にスイツチＳＷ２がオンされたときの処理について説明する。スイツチＳＷ２がオンするとプログラムはステツプ２０からレリーズに進む。
（２８）前記ダイヤルカウンタＤＬＣを０にクリアしてステツプ２９に進む。
（２９）前記測光タイマをストツプさせてステップ３０へ進む。
（３０）出力ポートＰＲ，ＰＣ，ＰＬからＬｏｗを出力し、スーパーインポーズ表示をＯＦＦしてステツプ３１へ進む。
（３１）ステツプ２５と同様にして、シヤツタ秒時と絞り値を表示してステップ３２へ進む。
（３２）出力ポートＰＭ２にＨｉを出力してモータＭ２を駆動してミラーアツプをおこないステツプ３３へ進む。
（３３）出力ポートＰＡＶより絞り駆動回路ＤＡＶへ絞り段数を出力し、絞りＣＡＶの絞り込み制御をおこないステツプ３４へ進む。
（３４）シヤツタ秒時のアペツクス値から実時間を演算してタイマにセツトしてステツプ３５へ進む。
（３５）出力ポートＰＧ１よりＨｉを出力してマグネツトＭＧ１に通電して先幕を走行させてステツプ３６へ進む。
（３６）タイマが実時間経過するまで待ちステツプ３７へ進む。
（３７）出力ポートＰＧ２よりＨｉを出力してマグネットＭＧ２に通電して後幕を走行させてステツプ３８へ進む。
（３８）出力ポートＰＭ２にＨｉに出力してモータＭ２を駆動してミラーダウンをおこないステツプ３９へ進む。
（３９）出力ポートＰＭ１にＨｉを出力してモータＭ１を駆動して巻き上げ動作を行いＳＴＡＲＴへ戻る。
　以上のステツプ２８からステツプ３９までの動作でスイツチＳＷ２が押されたときの、レリーズ動作がおこなわれる。
　次にスイツチＳＷ−ＦＰが押されたときの焦点検出点を変更するときの動作について説明する。スイツチＳＷ１が離されているときにスイツチＳＷ−ＦＰが押されると、プログラムはステツプ３からステップ４０に進む。
（４０）前記測光タイマをストツプさせてステツプ４１へ進む。
（４１）前記ＳＷＦＰＦフラグがセツトされているか否かを判断する。セツトされていればステツプ４５へ、クリアされていればステツプ４２へ進む。
（４２）前記ＳＷＦＰＦフラグをセットしてステツプ４３へ進む。
（４３）第７図のような焦点検出点表示中か否かを判断する。焦点検出点表示中であればステツプ７へ、表示中でなければステツプ４４へ進む。
（４４）ステツプ１８と同様にして測光をおこないステツプ４５へ進む。
（４５）６秒のモードタイマをスタートさせる。このタイマは６秒後に発生する割り込み処理によってストツプする。
（４６）ダイヤルカウンタＤＬＣからダイヤルのカウント値を読み込みステツプ４７へ進む。
（４７）ダイヤルから読み込んだ値を前記ＦＰＲＡＭに加算する。例えばＦＰＲＡＭの値が０でカウンタの読み込み値が２のときは、ＦＰＲＡＭは２となり焦点検出点は中央となる。またＦＰＲＡＭの値が２でカウンタの読み込み値が４のときは、ＦＰＲＡＭの値は３となり焦点検出点は右となる。このようにダイヤルカウンタが１カウントアツプする度にＦＰＲＡＭは０→１→２→３→０となり焦点検出点は自動→右→中央→右→中央と変更される。逆にダイヤルカウンタが１カウントダウンする度にＦＰＲＡＭは０→３→２→１→０となり焦点検出点は自動→右→中央→左と変更される。
（４８）焦点検出点に対応して第７図に示すような表示をＬＣＤ（ＤＩＳＰ１）のセグメントＳＥＧ２，ＳＥＧ４，ＳＥＧ５におこなう。つまりダイヤルＤＬ５を右回転にて第７図（ａ）→（ｂ）→（ｃ）→（ｄ）→（ａ）と順に表示、左回転にて（ａ）→（ｄ）→（ｃ）→（ｂ）→（ａ）の順に表示しステツプ４９へ進む。
（４９）ステツプ２４と同様にして、前記スーパーインポーズ表示をする。但しこのときは、７０ｍｓｅｃ後にスーパーインポーズを消灯しない。ここで焦点検出点に対応して第１０図に示すようにステツプ４８と同様に、ダイヤルＤＬ５の回転によって表示する焦点検出枠を切り換える。
　このようにスイツチＳＷ１が押されていないときはスイツチＳＷ−ＦＰを押す度に焦点検出点表示とスーパーインポーズ表示をつけたり消したりを繰り返し、表示をつける時にはスイツチＳＷ−ＦＰを押した時に測光しスーパーインポーズ表示のＬＥＤ（ＬＥＤ−Ｃ，Ｒ，Ｌ）プログラムデューテイ制御をおこなう。またこの焦点検出点の設定モードにおいては、ダイヤルを１クリツク回転させる度に焦点検出点を変更することができる。
　ここで本実施例においてはフアインダー内表示はスーパーインポーズ表示を用いて行ったが、フアインダー視野枠外に表示されるＤＩＳＰ２の７セグメントを用いて表示してもよい。すなわちステツプ４９において、ポートＰＦをＨｉにしてＦＬＥＤを点灯させることによって、外部モニターＬＣＤ（ＤＩＳＰ１）２の内容と同じものを表示させることができる。この方法による自動選択モ一ドの表示状態を第１１図の４３に示す。この場合、ステツプ２４の合焦した焦点検出点を表示することは不可能となり仕様ダウンであるが、スーパーインポーズ表示に関する部材が不要となりコストダウンが計れるといったメリツトがある。
〔他の実施例〕
　第１２図は本発明の第２の実施例を示したもので、測光モード選択釦５を押すことによって測光範囲選択状態となった外部モニターＬＣＤ（ＤＩＳＰ１）の様子を示したものである。
　第１２図（ａ）は測光センサーＳＰＣ−Ｃを用いて被写界の中央部の輝度を測光する部分測光モードを選択した場合で、７セグメントＳＥＧ３−５４のｃ，ｄ，ｅ，ｇセグメントにより表示を行っている。
　第１２図（ｂ）は測光センサーＳＰＣ−ＣとＳＰＣ−Ｓを用いて被写界の中央部の輝度とその周辺の輝度を測光し、その差にもとづいて被写界の露出を決定する評価測光モードを選択した場合で、７セグメントＳＥＧ２−５３のｄ，ｅ，ｇのセグメントとＳＥＧ３−５４のｃ，ｄ，ｅ，ｇセグメントとＳＥＧ４−５５のｃ，ｄ，ｇセグメントにより表示を行っている。
　第１２図（ｃ）は測光センサーＳＰＣとＳＰＣ−Ｓを用いて被写界の中央部の輝度とその周辺の輝度を加算して被写界全体の輝度にもとづいて露出を決定する平均測光モードを選択した場合で、７セグメントＳＥＧ２−５３のｄ，ｅ，ｇセグメントとＳＥＧ３−５４のｄ，ｇセグメントとＳＥＧ４−５５のｃ，ｄ，ｇセグメントによって表示を行っている。
　ここで、測光モードの選択は前述の焦点検出点モードの選択とスーパーインポーズ表示以外は全く同様のステツプにて動作させる事が可能であり、外部モニターＬＣＤ２（ＤＩＳＰ１）にダイヤルＤＬ５の回転に応じて第１２図（ａ）■（ｂ）■（ｃ）と表示を変えることとなる。
　〔発明の効果〕
　以上説明したように、Ｍ焦点検出点モードや測光モード等、多くの撮影モードをもつ多機能なカメラにおいても、
モード選択スイッチの操作により
　又、各々の撮影モードを独立した固定セグメントで表示する場合や、ドツトマトリクス表示を用いる場合に比べて、ＬＣＤの場合、セグメントへの結線数が削減され、実装規模が小さくて済み、低コストで多機能な表示を行えるといった効果がある。
【図面の簡単な説明】
第１図は本発明の表示装置を備えたカメラの上面図。
第２図は本発明の表示装置を備えたカメラの中央断面図。
第４図は本発明の表示装置を備えたカメラの回路図。
第５図〜第７図は本発明の表示装置による表示内容を示した図。
第８図、第９図は本発明の表示装置を備えたカメラの動作フロー図。
第３図、第１０図、第１１図はフアインダー内の表示内容を示したフアインダー視野図。
第１２図は第２の実施例を示す図。
１……カメラ本体
２……外部モニター用ＬＣＤ（ＤＩＳＰ１）
３，４……撮影モード設定部材
５……ダイヤル（ＤＬ）
６……レリーズ釦
１６……ＣＣＤラインセンサー（ＣＣＤ−Ｌ，ＣＣＤ−Ｃ，ＣＣＤ−Ｒ）
２１……ＬＥＤ（ＬＥＤ−Ｌ，ＬＥＤ−Ｃ，ＬＥＤ−Ｒ）
２４……ＬＥＤ（ＦＬＥＤ）
２８……測光センサー（ＳＰＣ−Ｃ，ＳＰＣ−Ｓ）
５１〜５８……７セグメント